(57)【要約】【課題】  内容物の漏出が防がれている上に、通水性を有し、内容物に含まれる不要な水分を排出させることができるフレキシブルコンテナバッグの提供を目的とする。【解決手段】  本考案に係るフレキシブルコンテナバッグは、化学繊維を編んだ織物から成っており、その内面１１が上方開口の内部空間１２を画成するように袋状に形成されている外層１と、不織布から成っており、外層１の内面１１に固定されている内層２とを具えていることを特徴とする。【選択図】  図２
0003192776.tif 000002
【実用新案登録請求の範囲】
【請求項１】
化学繊維を編んだ織物から成っており、その内面が上方開口の内部空間を画成するように袋状に形成されている外層と、
不織布から成っており、前記外層の前記内面に固定されている内層と、を備えていることを特徴とするフレキシブルコンテナバッグ。
【請求項２】
前記内層になった不織布は、繊維が交絡してなったもので、表裏両面を直通せずに層内で巡回状態になっている空隙を有し、
それにより、前記内層の内部に水分を含む内容物が装填されると、該水分だけが前記空隙を通ってから前記外層の織り目を通過し外部に排出されることができることを特徴とする請求項１に記載のフレキシブルコンテナバッグ。
【請求項３】
前記化学繊維は、ポリプロピレンであることを特徴とする請求項１または２に記載のフレキシブルコンテナバッグ。
【請求項４】
前記内層は、縫着により前記内面に固定されていることを特徴とする請求項３に記載のフレキシブルコンテナバッグ。
【請求項５】
前記内層は、両面テープにより前記内面に固定されていることを特徴とする請求項３に記載のフレキシブルコンテナバッグ。
【請求項６】
前記内層の前記内容物に接する面に、更に保護層が設けられていることを特徴とする請求項３に記載のフレキシブルコンテナバッグ。
【請求項７】
前記保護層は、ポリプロピレン繊維を編んだ織物から成っていることを特徴とする請求項６に記載のフレキシブルコンテナバッグ。
【考案の詳細な説明】
【技術分野】
【０００１】
本考案は、フレキシブルコンテナバッグに関し、特に通水性を有し内容物に含まれる水分を濾過できるフレキシブルコンテナバッグに関するものである。
【背景技術】
【０００２】
従来のフレキシブルコンテナバッグは、内容物の重さに耐え得るように、通常、ポリプロピレン（ＰＰ）やポリエチレン（ＰＥ）からなる糸状や帯状の材料（ヤーン）を経緯に組み合わせて作った織物を袋状にして成っている。また、従来のフレキシブルコンテナバッグは、内容物として粉末やペレット状のものが装填される場合が多いので、荷重により織物の織り目が広がってそこから内容物が漏れ出さないように、その表面がラミネート加工されて、織り目が塞がっている。
【考案の概要】
【考案が解決しようとする課題】
【０００３】
しかしながら、表面がラミネート加工されて織物の織り目が塞がると、内容物を漏れ出さないようにできる一方で、フレキシブルコンテナバッグの通水性が失われてしまう。例えば装填される内容物が余分な水分を含んだ土砂や汚水を含む廃棄物などの場合には、不要な水分がバッグに装填後に排出されず、内容物の重量が増すので、運搬や保存のコストが増したり、内容物の重量の正確な測定ができなくなったりするといった問題が発生する。
【０００４】
本考案は、上記問題点に鑑みてなされたものであり、その目的は、内容物の漏出を防ぐことができる上に、通水性を有し、内容物に含まれる不要な水分を排出することができるフレキシブルコンテナバッグの提供にある。
【課題を解決するための手段】
【０００５】
上記目的を達成するための手段として、本考案は、以下のフレキシブルコンテナバッグを提供する。
【０００６】
即ち、化学繊維を編んだ織物から成っており、その内面が上方開口の内部空間を画成するように袋状に形成されている外層と、不織布から成っており、前記外層の前記内面に固定されている内層と、を備えていることを特徴とするフレキシブルコンテナバッグを提供する。
【０００７】
また、本考案においては、前記内層になった不織布は、繊維が交絡してなったものであり、表裏両面を直通せずに層内で巡回状態になっている空隙を有し、それにより、前記内層の内部に水分を含む内容物が装填されると、該水分だけが前記空隙を通ってから前記外層の織り目を通過し外部に排出されることができることが好ましい。
【０００８】
また、前記化学繊維は、ポリプロピレンであることが望ましい。
【０００９】
また、前記内層は、縫着により前記内面に固定されていてもよく、或いは、両面テープにより前記内面に固定されていてもよい。
【００１０】
更に、前記内層の前記内容物に接する面に、保護層が設けられていてもよい。
【考案の効果】
【００１１】
上記手段によれば、織物で構成された外層の内側に更に不織布から成る内層が設けられているので、例えば内容物の重量によって外層の織り目が広がっても、内層により内容物の漏出を防ぐことができる上に、内層および外層が共に通水性を有するので、内容物が不要な水分を含んだ物である場合には、その水分だけを濾過して排出させることができる。
【図面の簡単な説明】
【００１２】
【図１】本考案に係るフレキシブルコンテナバッグの第１の実施形態を示す斜視図である。
【図２】上記第１の実施形態を示す分解斜視図である。
【図３】上記第１の実施形態を示す部分断面図である。
【図４】上記第１の実施形態の他例を示す部分断面図である。
【図５】本考案に係るフレキシブルコンテナバッグの第２の実施形態を示す部分断面図である。
【考案を実施するための形態】
【００１３】
以下、添付図面を参照しながら、本考案に係るフレキシブルコンテナバッグの具体的な実施形態を詳細に説明する。なお各実施形態において共通する要素には同じ符号を付し重複する説明は適宜省略した。
【００１４】
（第１の実施形態）
図１、図２、図３には、本考案に係るフレキシブルコンテナバッグの第１の実施形態が示されており、図１は、全体を示す斜視図、図２は、全体を分解して示す分解斜視図、図３は、一部の断面を示す部分断面図である。当該フレキシブルコンテナバッグは、余分な水分を含む物、例えば汚水を含む土砂などを装填、運搬するのに適したものであり、織物から成る外層１と、不織布から成る内層２とを備えて成った少なくとも２層構造を有するものである。
【００１５】
外層１は、化学繊維を編んだ織物から成っており、その内面１１が上方開口の内部空間１２を画成するように袋状に形成されている。また、外層１は、上面視で矩形を呈し、図１に示されているように該矩形の四角に当たる部位の上記上方開口に近い側に、それぞれループ状の吊りベルト１３が設けられている
【００１６】
外層１を構成する上記化学繊維として、本実施形態ではポリプロピレン（ＰＰ）を用いており、ＰＰ製ヤーンを縦横交互に、打ち込み本数が縦横共に１６本／インチ、１５００デニールとなるように織り込んで外層１を形成した。なお、外層１は、ラミネート加工されていないことに注意されたい。また、上記化学繊維としては、例えばポリエチレン（ＰＥ）を用いることも可能であり、あるいはフレキシブルコンテナバッグを構成するに十分な強度を有するその他の化学繊維を用いてもよい。
【００１７】
内層２は、不織布から成っていると共に、形状が外層１と対応するように、内部に装填空間２１が画成された上方開口の袋状に形成されており、外層１の内部空間１２において内面１１に固定されている。固定の方法として、本実施形態では、図３に示されているように糸３により縫い合わせる方法（縫着）を採った。なお、外層１と内層２との固定方法は、これに限らず、例えば図４に示されているように両面テープ４を用いた粘着により固定してもよく、あるいは面ファスナーを用いてもよい。
【００１８】
内層２を構成する不織布は、一般の不織布であり繊維が交絡してなったもので、交絡した繊維間に微細な空隙２２を有する。空隙２２は、内層２の表裏両面を直通せずに層内で巡回状態、言い換えれば、内層２の表裏両面および層内を途中で該不織布を構成する繊維に阻まれながら延伸するように内層２の表裏を屈曲して連通している状態になっている（なお、図示において、空隙２２は直線状に描かれているが、これは図面の簡潔性のためである）。
【００１９】
上記の構造を有することにより、内層２の内部、即ち装填空間２１に、余分な水分を含む土砂や廃棄物などが内容物として装填されると、該水分だけが濾過されるように内層２の空隙２２を通ってから外層１の織り目を通過して当該フレキシブルコンテナバッグの外部に排出されることができる。なお、上記「該水分だけが濾過される」とは、上述のように空隙２２が微細なものなので、内容物における水分だけが空隙２２を通り、内容物の固形分は空隙２２を通過しないことを意味する。
【００２０】
また、空隙２２は、繊維間に形成されるものなのでそれぞれの大小が異なりかつ上述のように層内で巡回状態になっているので、内層２の厚みを調整することにより、空隙２２の態様を変化させて内層２の透過性、即ち水分の透過速度や濾過できる固形物の大小を調整することができる。
【００２１】
具体的に言うと、内層２の厚みを増すと、空隙２２の形状の複雑性が増すので、即ち空隙２２が内層２の表裏両面を連通する経路が延長されるので、小さい粒径の固形物を濾過できる（即ち内層２内に保持できる）ようになる一方で、水分の透過速度が緩やかになってしまう。逆に、内層２の厚みを減らすと、空隙２２の形状が比較的単純になり、即ち空隙２２が内層２の表裏両面を連通する経路が短縮されるので、水分の透過速度を速くできる一方で、より多くの固形物が水分と共に内層２を透過してしまうようになる。そこで、内層２の厚みは、内容物の特性や所望の濾過速度により適宜調整されるとよい。
【００２２】
（第２の実施形態）
図５には、本考案に係るフレキシブルコンテナバッグの第２の実施形態が、部分断面図で示されている。第２の実施形態では、第１の実施形態と同様に外層１と内層２とから成っているが、更に内層２の内容物に接する面、即ち内側面に保護層５が設けられている。
【００２３】
保護層５は、外層１と同様に化学繊維を編んだ織物から成っているが、外層１よりも薄く形成されている。本実施形態では、一例としてポリプロピレン（ＰＰ）を用いており、ＰＰ製ヤーンを縦横交互に、打ち込み本数が縦横共に８本／インチ、９００デニールとなるように織り込んで保護層５を形成した。なお、保護層５も、外層１と同様にラミネート加工されていないことに注意されたい。
【００２４】
当該フレキシブルコンテナバッグにおいては、装填される内容物によっては装填または運搬の過程で内層２が例えば切れたり破れたりするなど破損して濾過の作用が失われてしまう恐れがあるが、本実施形態では内層２の内側面に更に保護層５を設けたことで、内容物が内層２に直接接触しないので、内層２が破損することが防止されている。
【００２５】
以上のように、本考案に係るフレキシブルコンテナバッグによれば、例えば内容物の重量により外層１の織り目が広がっても、不織布からなる内層２により内容物の漏出を防ぐことができる。更に、内層２および外層１が共に通水性を有するように構成されているので、内容物が不要な水分を含んだ物である場合には、その水分を濾過して排出させることができる。
【００２６】
以上、本考案の好ましい実施形態を説明したが、本考案はこれに限定されるものではなく、その要旨を逸脱しない範囲で種々変更可能であることはいうまでもない。
【産業上の利用可能性】
【００２７】
本考案に係るフレキシブルコンテナバッグは、内容物の漏出を防ぐことができると共に内容物に含まれる水分を排出させることができるので、例えば多量の水分を含む汚泥や土砂、汚水を含む廃棄物などの装填、運搬に利用可能である。
【符号の説明】
【００２８】
１  外層
１１  内面
１２  内部空間
１３  吊りベルト
２  内層
２１  装填空間
２２  空隙
３  糸
４  両面テープ
５  保護層
【図１】
0003192776.tif 000003
【図２】
0003192776.tif 000004
【図３】
0003192776.tif 000005
【図４】
0003192776.tif 000006
【図５】
0003192776.tif 000007
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
化学繊維を編んだ織物から成っており、その内面が上方開口の内部空間を画成するように袋状に形成されている外層と、
不織布から成っており、前記外層の前記内面に固定されている内層と、を備えていることを特徴とするフレキシブルコンテナバッグ。
【請求項２】
前記内層になった不織布は、繊維が交絡してなったもので、表裏両面を直通せずに層内で巡回状態になっている空隙を有し、
それにより、前記内層の内部に水分を含む内容物が装填されると、該水分だけが前記空隙を通ってから前記外層の織り目を通過し外部に排出されることができることを特徴とする請求項１に記載のフレキシブルコンテナバッグ。
【請求項３】
前記化学繊維は、ポリプロピレンであることを特徴とする請求項１または２に記載のフレキシブルコンテナバッグ。
【請求項４】
前記内層は、縫着により前記内面に固定されていることを特徴とする請求項３に記載のフレキシブルコンテナバッグ。
【請求項５】
前記内層は、両面テープにより前記内面に固定されていることを特徴とする請求項３に記載のフレキシブルコンテナバッグ。
【請求項６】
前記内層の内容物に接する面に、更に保護層が設けられていることを特徴とする請求項３に記載のフレキシブルコンテナバッグ。
【請求項７】
前記保護層は、ポリプロピレン繊維を編んだ織物から成っていることを特徴とする請求項６に記載のフレキシブルコンテナバッグ。